(57)【要約】【課題】間引き読み出しによるジャギーの発生や解像感の低下を抑制する。【解決手段】電子カメラは、複数の画素が行列状に配置された、被写体の像を撮像してローリングシャッタ方式により行単位で画像信号を出力する撮像素子と、画像信号に基づいて、被写体に含まれる動体被写体を検出する検出手段と、動体被写体を含む所定領域に対応する位置に配置された複数行に含まれる画素の画像信号を行単位で第１態様により読み出し、所定領域以外の領域に対応する位置に配置された複数行に含まれる画素の画像信号を行単位で第１態様とは異なる第２態様により読み出す読出手段とを備える。【選択図】図２
2011030199.tif 000002
【特許請求の範囲】
【請求項１】
複数の画素が行列状に配置された、被写体の像を撮像してローリングシャッタ方式により行単位で画像信号を出力する撮像素子と、
前記画像信号に基づいて、前記被写体に含まれる動体被写体を検出する検出手段と、
前記動体被写体を含む所定領域に対応する位置に配置された複数行に含まれる前記画素の前記画像信号を行単位で第１態様により読み出し、前記所定領域以外の領域に対応する位置に配置された複数行に含まれる前記画素の前記画像信号を行単位で前記第１態様とは異なる第２態様により読み出す読出手段とを備えることを特徴とする電子カメラ。
【請求項２】
請求項１に記載の電子カメラにおいて、
前記読出手段は、前記第１態様においては前記所定領域に対応する位置に配置された前記複数行に含まれる全ての前記画素の前記画像信号を行単位で読み出し、前記第２態様においては前記所定領域以外の領域に対応する位置に配置された前記複数行のうち所定行おきの行に含まれる前記画素の前記画像信号を行単位で読み出すことを特徴とする電子カメラ。
【請求項３】
請求項１または２に記載の電子カメラにおいて、
前記撮像素子から出力された全ての前記画像信号に基づいて、第１画像データを生成する第１生成手段と、
前記第１生成手段により生成された前記第１画像データを記録媒体に記録する記録制御手段と、
前記記録媒体に記録された前記第１画像データを読み出して、前記所定領域に対応する位置に配置された複数行に含まれる前記画素の前記画像信号に基づいて、第２画像データを生成する第２生成手段と、
前記第２生成手段により生成された第２画像データに対応する動画を表示及び／または記録する手段とをさらに備えることを特徴とする電子カメラ。
【発明の詳細な説明】
【技術分野】
【０００１】
本発明は、電子カメラに関する。
【背景技術】
【０００２】
従来から、動画撮影時に撮像素子内で間引きを行って、静止画撮影時より少ない信号数で信号を出力する撮像装置が知られている（たとえば特許文献１）。
【先行技術文献】
【特許文献】
【０００３】
【特許文献１】特開２００７−２１４８９２号公報
【発明の概要】
【発明が解決しようとする課題】
【０００４】
しかしながら、信号を出力する際の間引きに起因して、動画像にジャギーが発生したり、動画像の解像感が低下するという問題がある。
【課題を解決するための手段】
【０００５】
請求項１に記載の電子カメラは、複数の画素が行列状に配置された、被写体の像を撮像してローリングシャッタ方式により行単位で画像信号を出力する撮像素子と、画像信号に基づいて、被写体に含まれる動体被写体を検出する検出手段と、動体被写体を含む所定領域に対応する位置に配置された複数行に含まれる画素の画像信号を行単位で第１態様により読み出し、所定領域以外の領域に対応する位置に配置された複数行に含まれる画素の画像信号を行単位で第１態様とは異なる第２態様により読み出す読出手段とを備えることを特徴とする。
【発明の効果】
【０００６】
本発明によれば、動体被写体を含む所定領域に対応する位置に配置された画素と、所定領域以外の領域に対応する位置に配置された画素との間で、異なる態様により画像信号を読み出すことができる。
【図面の簡単な説明】
【０００７】
【図１】本発明の実施の形態によるデジタルカメラの要部構成を示す図
【図２】実施の形態によるデジタルカメラの制御系の構成を示すブロック図
【図３】実施の形態によるデジタルカメラが備える撮像素子の一例を示す図
【図４】画像データのブロック分割を説明するための図
【図５】動体被写体の検出を説明するための図
【図６】画像データにおける全画素読出領域の一例を説明する図
【図７】画像信号が読み出される画素が含まれる画素行の一例を示す図
【発明を実施するための形態】
【０００８】
図面を参照して、本発明による実施の形態におけるカメラを説明する。図１はデジタルカメラ１の要部構成を示す図である。デジタルカメラ１のボディに、撮影レンズＬ１と絞り２０とを備える交換レンズ２が着脱可能に装着されている。デジタルカメラ１のボディ側には、クイックリターンミラー１０、焦点板１１、ペンタプリズム１２、接眼レンズ１３、および撮像素子１４が設けられている。
【０００９】
図２はデジタルカメラ１の制御系を簡易的に示すブロック図である。図２において、図１に示した構成要素には同一の符号を付して説明する。デジタルカメラ１の制御系は、撮像素子１４、Ａ／Ｄ変換回路１６、タイミングジェネレータ１７、制御回路１８、ＬＣＤ駆動回路１９、液晶表示器１９１、操作部３０、およびメモリカードインタフェース３１を備えている。
【００１０】
図１を参照して説明すると、交換レンズ２を通過してデジタルカメラ１に入射した被写体光は、シャッタレリーズ前は図１において実線で示すように位置するクイックリターンミラー１０で上方へ導かれて焦点板１１に結像する。焦点板１１に結像された被写体像は、ペンタプリズム１２により接眼レンズ１３へ導かれる。その結果、被写体像がユーザに観察される。被写体光の一部はクイックリターンミラー１０の半透過領域を透過し、サブミラー１０ａにて下方に反射され、図示しない焦点検出用センサへ入射される。レリーズ後はクイックリターンミラー１０が図１の破線で示される位置へ回動し、被写体光が撮像素子１４へ導かれ、その撮像面上に被写体像が結像する。
【００１１】
図２を参照して制御系について詳細に説明する。
撮像素子１４は、行列状に多数配列された画素を有するＸ−Ｙアドレス型の光電変換素子である。なお、実際の撮像素子１４にはオプティカルブラック領域（ＯＢ領域）などが存在するが、本実施の形態においては、説明を簡略化するためにＯＢ領域等を省略して説明する。すなわち、図３に示すように、撮像素子１４は、有効画素領域Ｒ１に含まれる画素とブランキング領域Ｒ２に含まれる画素とにより構成される。有効画素領域Ｒ１は、たとえば４２８８×２８４４画素により構成されるものとする。後述する制御回路１８は、有効画素領域Ｒ１に含まれる画素から出力される画像信号に基づいて画像データを生成する。ブランキング領域Ｒ２に含まれる画素は、後述するようにライブビューモードまたは動画撮影モードにおいて全画素行の読み出しと間引き読み出しとが混在する場合に、フレームレートを調整するために設けられている。なお、図３〜図７においては、水平方向を画素行、垂直方向を画素列として説明する。
【００１２】
撮像素子１４は、後述する制御回路１８の制御に応じて駆動して撮影レンズＬ１を通して入力される被写体像を撮像し、撮像して得た画像信号を出力する。また、撮像素子１４は、所定の水平走査期間（以下、Ｈ期間）ごとに、走査ラインごとに順次シャッタを切る方式（いわゆるローリングシャッタ方式）により駆動される。撮像素子１４の撮像面には、それぞれＲ（赤）、Ｇ（緑）およびＢ（青）のカラーフィルタが画素位置に対応するように設けられている。撮像素子１４がカラーフィルタを通して被写体像を撮像するため、撮像素子１４から出力される画像信号はＲＧＢ表色系の色情報を有する。
【００１３】
撮像素子１４から出力された画像信号は、図示しないＡＦＥ回路等によりアナログ処理（ゲインコントロールなど）が施され、Ａ／Ｄ変換回路１６へ入力される。なお、Ａ／Ｄ変換回路１６を撮像素子１４に設けてもよい。Ａ／Ｄ変換回路１６は、入力したアナログ処理が施された画像信号をデジタルの画像信号に変換する回路である。タイミングジェネレータ１７は、制御回路１８の命令に応じて、撮像素子１４とＡ／Ｄ変換回路１６とにタイミング信号を出力し、撮像素子１４とＡ／Ｄ変換回路１６との駆動タイミングを制御する回路である。
【００１４】
制御回路１８は、図示しないＣＰＵ、ＲＯＭ、ＲＡＭなどを有し、制御プログラムに基づいて、デジタルカメラ１の各構成要素を制御したり、各種のデータ処理を実行する演算回路である。制御プログラムは、制御回路１８内の不図示の不揮発性メモリに格納されている。制御回路１８は、画像処理部１８ａ、画像記録部１８ｂ、検出部１８ｃ、読出指示部１８ｄ、再生部１８ｅを機能的に備える。画像処理部１８ａは、入力したデジタル画像信号に対して種々の画像処理を施して画像データを生成する。また、画像処理部１８ａは、メモリカード３２に記録されている画像データに基づいて、後述する液晶表示器１９１に表示するための表示画像データを生成する。
【００１５】
画像記録部１８ｂは、画像処理部１８ａにより生成された画像データに対してＪＰＥＧなどの所定の方式により圧縮処理を行い、ＥＸＩＦなどの形式でメモリカード３２へ記録する。検出部１８ｃは、後述する動画撮影モードまたはライブビューモードにおいて、画像データを用いて撮影画面内に動きのある被写体（動体被写体）を検出する。読出指示部１８ｄは、撮像素子１４に含まれる画素のうち、いずれの画素行に含まれる画素から画像信号を出力させるかを決定し、タイミングジェネレータ１７を介して撮像素子１４に指令する。再生部１８ｅは後述するメモリカード３２に記録された画像データを読み出して、表示用画像データを生成してＬＣＤ駆動回路１９に出力して表示用画像を液晶表示器１９１に表示させる。なお、検出部１８ｃ、読出指示部１８ｄおよび再生部１８ｅについては後に詳細に説明する。
【００１６】
ＬＣＤ駆動回路１９は、制御回路１８の命令に基づいて液晶表示器１９１を駆動する回路である。液晶表示器１９１はアスペクト比が、たとえば縦３：横４の液晶表示パネルである。液晶表示器１９１は、撮像素子１４で撮像した画像をリアルタイムに表示するライブビュー表示とともに、メモリカード３２に記録されている画像データに基づいて再生部１８ｅで作成された表示画像データに対応する画像の表示を行う。また、液晶表示器１９１は、画像ファイルに関連する各種情報（シャッタ速度、絞り値、ＩＳＯ感度、ファイル名など）の表示を行う。また、液晶表示器１９１は、操作部３０の操作に基づき、デジタルカメラ１の各種設定のためのメニュー画面の表示を行う。
【００１７】
操作部３０はユーザによって操作される種々の操作部材に対応して設けられた種々のスイッチを含み、操作部材の操作に応じた操作信号を制御回路１８へ出力する。操作部材は、たとえばレリーズボタンや、上記のメニュー画面を表示させるためのメニューボタンや、各種の設定等を選択操作する時に操作される十字キー、十字キーにより選択された設定等を決定するための決定ボタン、撮影モードと再生モードとの間でデジタルカメラ１の動作を切替えるモード切替ボタン等を含む。また、操作部３０により、撮像モードとして静止画撮影モードや動画撮影モード、上記ライブビュー表示を行うためのライブビューモードの設定が可能である。
【００１８】
メモリカードインタフェース３１は、メモリカード３２が着脱可能なインタフェースである。メモリカードインタフェース３１は、制御回路１８の制御に基づいて、画像ファイルをメモリカード３２に書き込んだり、メモリカード３２に記録されている画像ファイルを読み出すインタフェース回路である。メモリカード３２はコンパクトフラッシュ（登録商標）やＳＤカードなどの半導体メモリカードである。
【００１９】
以下、ユーザの操作部３０の操作に応じて、ライブビューモードまたは動画撮影モードが設定された場合について説明する。本実施の形態においては、ライブビューモードまたは動画撮影モードにて撮影された画像データにおいて、動きのある被写体（動体被写体）を含む「所定領域」に対応する位置に配置された全画素から画像信号を読み出す。さらに、「所定領域」以外の領域に対応する位置に配置された画素においては、所定の画素行ごとに画像信号を間引き読み出しする。
【００２０】
操作部３０の操作によりライブビューモードや動画撮影モードが設定されると、制御回路１８は、クイックリターンミラー１０を図１の破線で示す位置へ回動し、撮影レンズＬ１を通過した被写体光が撮像素子１４に導かれるようにする。さらに、読出指示部１８ｄは、タイミングジェネレータ１７に指示して、撮像素子１４を構成する全画素のうち、垂直方向に所定行ごとの画素行（たとえば３行間隔）に含まれる画素から画像信号を出力（間引き出力）させる（以後、１／３間引き読み出しと呼ぶ）。このとき、読出指示部１８ｄは、画像信号の読み出し周期（フレームレート）を、たとえば１／３０[s]に設定する。
【００２１】
検出部１８ｃは、複数コマの画像データを用いて動体被写体の有無を検出する。この場合、検出部１８ｃは、少なくとも第（ｎ−１）フレーム目の画像データＦ(ｎ−１)および第ｎフレーム目の画像データＦ(ｎ)に基づいて、公知のフレーム間予測等を用いて動きベクトルを算出する。検出部１８ｃは、図４に示すように、撮像素子１４に含まれる画素のうち、たとえば１６×１６画素に対応するデータを１つのブロックＢとみなし、画像データを複数のブロックＢ１、Ｂ２、・・・Ｂｎに分割する。
【００２２】
検出部１８ｃは、図５（ａ）に示す画像データＦ（ｎ）と図５（ｂ）に示す画像データＦ（ｎ−１）と間で、それぞれ対応するブロックＢｍ（１≦ｍ≦ｎ）間の差分を演算し、図５（ｃ）に示す差分画像データを取得する。図５（ｃ）において、太線で囲む領域ｒ１およびｒ２が画像データＦ（ｎ）とＦ（ｎ−１）との間で変化があった、すなわち動体被写体に対応するブロックＢを含む領域である。そして、検出部１８ｃは、領域ｒ１に含まれるブロックＢと領域Ｒ２に含まれるブロックＢとの間で動きベクトルを算出する。
【００２３】
読出指示部１８ｄは、算出された動きベクトルの大きさが、所定の閾値を超えるか否かを判定する。なお、閾値はデフォルト状態では０に設定されているが、ユーザによる操作部３０の操作に応じて任意の値に設定可能な構成とする。読出指示部１８ｄは、動きベクトルが閾値を超えるブロックＢを含む所定領域を全画素行から画像信号を読み出すための領域（全画素読出領域）として設定する。上述した領域ｒ１およびｒ２に含まれるブロックＢの動きベクトルが閾値を超えている場合、図６に示すように、読出指示部１８ｄは、領域Ｒ３を全画素読出領域に設定する。すなわち、全画素読出領域Ｒ３は、領域ｒ１およびｒ２を包含する領域として設定される。
【００２４】
全画素読出領域Ｒ３を設定すると、読出指示部１４ｄは、第（ｎ＋１）フレーム目の画像データＦ（ｎ＋１）を取得する際、タイミングジェネレータ１７に指示して、撮像素子１４の画素のうち、全画素読出領域Ｒ３に含まれるすべての画素から画素行単位で画像信号を読み出させる。なお、読出指示部１４ｄは、全画素読出領域Ｒ３に含まれない画素については、上述した１／３間引き読み出しにより３行間隔の画素行に含まれる画素から画像信号を読み出させる。すなわち、第（ｎ＋１）フレーム目の画像データを生成する際には、図７の斜線部に示す領域内の画素行に含まれる画素から画像信号が読み出される。なお、撮像素子１４内の図示しないカウンタは、上述した全画素読出領域Ｒ３に含まれる画素から画素行ごとに画像信号が読み出されるごとに、画像信号が読み出された画素行の数、すなわち全画素の読み出しを行ったＨ期間の総数をカウントする。そして、撮像素子１４は、カウントしたＨ期間の総数を制御回路１８へ出力する。
【００２５】
読出指示部１８ｄは、上述した全画素読み出しと１／３間引き読み出しとが混在している場合に、ブランキング領域Ｒ２から読み出す画素行の選択を行う。この処理は、画像データＦ（ｎ＋１）を生成する際のフレームレートを１／３０[ｓ]に維持するために読出指示部１８ｄにより行われる。読出指示部１８ｄは、撮像素子１４から入力したＨ期間の総数に基づいて、選択する画素行の数を決定する。たとえば、全画素読出領域Ｒ３におけるＨ期間が９００Ｈ、すなわち画素列方向の９００画素に相当するものとして説明する。この場合、全画素読出領域Ｒ３に含まれる画素行を１／３間引き読み出しにより読み出した場合、１／３の期間である３００Ｈにて画像信号を読み出すことが可能となる。したがって、読出指示部１８ｄは、ブランキング領域Ｒ２に含まれる画素の読み出し期間が３倍となるように、選択する画素行の数を決定する。なお上述したように、ブランキング領域Ｒ２に含まれる画素から読み出された画像信号は画像データの生成には用いられない。
【００２６】
上述したようにして画像信号が読み出されると、画像処理部１８ａは、取得した画像信号に対して上述した各種の画像処理を施して第（ｎ＋１）フレーム目の画像データＦ（ｎ＋１）を生成する。制御回路１８は、画像データＦ（ｎ＋１）をＬＣＤ駆動回路１９へ出力して、画像を液晶表示器１９１に表示させる（ライブビューモード時）。なお、動画撮影モードが設定されている場合は、画像記録部１８ｂは、画像処理部１８ａにより上述のようにして生成された画像データＦ（ｎ＋１）に対して圧縮処理を施し、動画像データとしてメモリカード３２に記録する。なお、画像記録部１８ｂは、撮像素子１４において全画素読出領域Ｒ３の位置を特定する情報（たとえば画素列方向の座標値）を付加情報として動画像データに付加してメモリカード３２に記録する。
【００２７】
次に、メモリカード３２に記録された動画像データを、液晶表示器１９１に再生表示する場合について説明する。再生モードにおいて、動画像データを再生表示する場合には、全画面モードと切り出し画面モードのいずれかにより動画像を再生表示するものとする。全画面モードと切り出し画面モードとの選択は、ユーザによる操作部３０の操作により行われるものとする。
【００２８】
−全画面モード−
ユーザによる操作部３０の操作に応じて再生モード内の全画面モードが選択されると、再生部１８ｅは、ユーザの指定操作に応じた動画像データをメモリカード３２から読み出して、図示しないメモリに一時的に格納する。そして、再生部１８ｅは、メモリに格納した動画像データに基づいて、液晶表示器１９１に表示するための表示用動画像データを生成する。再生部１８ｅは、生成した表示用動画像データをＬＣＤ駆動回路１９へ出力して、液晶表示器１９１に表示用動画像データに対応する動画を再生表示させる。
【００２９】
−切り出し画面モード−
切り出し画面モードにおいては、動体被写体を含む「所定領域」を動画として液晶表示器１９１に再生表示することができる。ユーザによる操作部３０の操作に応じて再生モード内の切り出し画面モードが選択されると、再生部１８ｅは、動画像データをメモリカード３２から読み出して、図示しないメモリに一時的に格納する。
【００３０】
再生部１８ｅは、格納された動画像データに含まれる各フレームに対応する画像データにおいて、上述した全画素読出領域Ｒ３に含まれる画素から読み出された画像信号を用いて生成された画像データを抽出し、抽出画像データを生成する。このとき、再生部１８ｅは、動画像データに付加された付加情報に記録された全画素読出領域Ｒ３の座標値を参照して抽出画像データを生成する。そして、再生部１８ｅは、それぞれのフレームに対応する抽出画像データを用いて、液晶表示器１９１に表示するための表示用動画像データを生成する。再生部１８ｅは、生成した表示用動画像データをＬＣＤ駆動回路１９へ出力し、液晶表示器１９１に表示用動画像データに対応する動画を表示させる。その結果、液晶表示器１９１には、動体被写体を含む所定領域（全画素読出領域Ｒ３に対応する領域）が動画として再生表示されることになる。さらに、画像記録部１８ｂは、再生部１８ｅにより生成された抽出画像データを抽出動画データとしてメモリカード３２へ記録する。なお、生成した抽出画像データに対応する動画の表示と、抽出画像データのメモリカード３２への記録との少なくとも一方を行うものであってもよい。
【００３１】
以上で説明した実施の形態によるデジタルカメラ１によれば、以下の作用効果が得られる。
（１）撮像素子１４は、行列状に配置され複数の画素を有し、被写体の像を撮像してローリングシャッタ方式により画素行単位で画像信号を出力し、検出部１８ｃは、画像信号に基づく画像データを用いて、被写体に含まれる動体被写体を検出するようにした。そして、読出指示部１８ｄは、動体被写体を含む全画素読出領域Ｒ３に対応する位置に配置された複数行に含まれる画素の画像信号と、全画素読出領域Ｒ３以外の領域に対応する位置に配置された複数行に含まれる画素の画像信号とを、それぞれ異なる態様により行単位で読み出すように撮像素子１４に指示するようにした。すなわち、読出指示部１８ｄは、全画素読出領域Ｒ３に対応する位置に配置された複数行に含まれる全ての画素の画像信号を画素行単位で読み出し、全画素読出領域Ｒ３以外の領域に対応する位置に配置された複数行のうち所定行おきの行（たとえば３行間隔）に含まれる画素の画像信号を画素行単位で読み出すように撮像素子１４に指示するようにした。したがって、画像上において動体被写体（たとえば動きのある人物や、車、植物の葉など）が撮影された領域は、撮像素子１４の全画素読出領域Ｒ３に含まれる全画素から出力された画像信号により生成されているので、ジャギーの発生が抑制された解像度の高い画像を得ることができる。
【００３２】
（２）画像処理部１８ａは、撮像素子１４から出力された全ての画像信号に基づいて、動画像データを生成し、画像記録部１８ｂは、画像処理部１８ａにより生成された動画像データをメモリカード３２に記録するようにした。そして、再生モードが選択されると、再生部１８ｅは、メモリカード３２に記録された動画像データを読み出して、全画素読出領域Ｒ３に対応する位置に配置された複数行に含まれる画素の画像信号により生成された画像データに基づいて、表示用動画像データを生成するようした。さらに、ＬＣＤ駆動回路１９は、再生部１８ｅにより生成された表示用動画像データに対応する動画を液晶表示器１９１に表示するようにした。したがって、再生表示される動画は、全画素読出領域Ｒ３に含まれる全画素から読み出された画像信号に基づいて生成されているので、ジャギーの発生が抑制された高解像度の動画像の再生表示や記録ができる。
【００３３】
以上で説明した実施の形態のデジタルカメラを、以下のように変形できる。
（１）動体被写体を含む所定領域に対応する画素、すなわち全画素読出領域Ｒ３に含まれる全画素から画像信号を読み出すものに代えて、全画素読出領域Ｒ３に含まれる画素についても間引き読み出しにより画像信号を読み出してもよい。この場合、読出指示部１８ｄは、動体被写体を含む全画素読出領域Ｒ３が所定の大きさ（たとえば、２０００画素行）を超える場合に、全画素読出領域Ｒ３に含まれる画素を、たとえば３行間隔で間引き（３行中の２行を間引く垂直方向１／３間引き）読み出しするように撮像素子１４に指示する。その結果、撮像素子１４の上部の画素行に配置される画素と下部の配置される画素行との間で読み出し開始時刻が異なることに起因するローリングシャッタ歪みの発生を抑制できる。
【００３４】
（２）切り出し画面モードにおいて再生表示される動画は、ユーザにより動体被写体を含む任意の領域を設定可能としてもよい。この場合、ユーザは、上述のように切り出し画面モードで液晶表示器１９１に再生表示されている動画を確認しながら、操作部３０に含まれる、たとえば十字キー等を用いて任意の領域（たとえば矩形領域）を指定操作する。そして、操作部３０は、ユーザの指定操作により液晶表示器１９１上において指定された矩形領域の座標値を制御回路１８へ出力する。再生部１８ｅは、入力した座標値を画像データ上の座標値に換算して、メモリに格納されている画像データのうち、指定操作により指定された矩形領域に対応する領域に含まれる画像データを抽出して抽出画像データを生成すればよい。
【００３５】
または、ユーザが任意領域の中心点となる位置を、操作部３０を用いて指定してもよい。この場合、再生部１８ｅは、指定された中心点を基準として所定の大きさ（サイズ）の画像データを抽出画像データとして生成する。なお、抽出画像データとなる画像データの大きさは、予め複数種類用意されており、ユーザは所望する大きさを操作部３０を用いて選択するものとする。
【００３６】
（３）記録された動画像のうちの、全画面モードまたは切り出し画面モードにおける１フレームを静止画（表示用静止画データ）として抜き出して（生成して）、それを液晶表示器１９１に再生表示してもよいし、その静止画を記録媒体に記録するようにしてもよい。再生部１８ｅは、抜き出した（生成した）表示用静止画データをＬＣＤ駆動回路１９へ出力し、液晶表示器１９１に表示用静止画データに対応する静止画を表示させる。なお、切り出し画面モードにおいて任意の領域を切り出す場合、任意の領域の中心点となる位置や大きさを、ユーザが操作部３０を用いて指定できるように構成されていてもよい。また、全画面モードや切り出し画面モードにおいて、液晶表示器１９１に再生表示される動画を記録媒体に記録するようにしてもよい。
【００３７】
（４）本発明は、交換レンズの着脱が可能なデジタルカメラに限定されず、レンズ固定式のデジタルカメラにも適用してもよい。また、少なくとも撮影レンズと撮像素子１４とを備える電子機器、たとえばカメラ付き携帯電話等にも本発明を適用できる。
【００３８】
また、本発明の特徴を損なわない限り、本発明は上記実施の形態に限定されるものではなく、本発明の技術的思想の範囲内で考えられるその他の形態についても、本発明の範囲内に含まれる。説明に用いた実施の形態および変形例は、それぞれを適宜組合わせて構成しても構わない。
【符号の説明】
【００３９】
１  デジタルカメラ、  １４  撮像素子、  １８  制御回路、  １８ａ  画像処理部、
１８ｂ  画像記録部、  １８ｃ  検出部、  １８ｄ  読出指示部、  １８ｅ  再生部、
１９  ＬＣＤ駆動回路、  １９１  液晶表示器
【図１】
2011030199.tif 000003
【図２】
2011030199.tif 000004
【図３】
2011030199.tif 000005
【図４】
2011030199.tif 000006
【図５】
2011030199.tif 000007
【図６】
2011030199.tif 000008
【図７】
2011030199.tif 000009